(57)【特許請求の範囲】
【請求項１】
洗浄乾燥室内に扉裏面に引き出し可能な網籠を装備し、扉裏面には、その前端部に軸止した架台とこの架台上のスライド台とからなる網籠載置台を設け、扉の側部にはロープの留め具と滑車とを、前記キャビネット側面の下部には二つ、上部には一つの滑車を取り付け、留め具よりキャビネット側面の下部の滑車、扉側面の滑車、キャビネット側面の下部の他方の滑車、キャビネット側面の上部の滑車に順次ロープを巡らせ、このロープの端部にはほぼＬ形をなしキャビネット側面に掛止できるようにした連結金具に繋ぎ、連結金具の重みでロープを常に緊張させるようになっており、扉を水平に開いた状態で、連結金具をキャビネットより外し網籠載置台の架台に繋げてロープの両端を固定し、扉を閉じて行くと巡らせたロープの移動により網籠載置台が扉裏面より回動して水平に上昇し、扉を閉めていくと網籠載置台が水平に下降するようにし、網籠載置台を上昇した状態で停止させるために、キャビネット側面の上部に揺動自在な引っ掛け金具を設けたことを特徴とする食器洗浄乾燥機の構造。
【請求項２】
請求項１記載の食器洗浄乾燥機の構造において、キャビネット側面下部に三つの滑車を設け、上部の滑車にロープを巡らせる前に通す一の滑車を移動自在としてロープの伸びに対応して調整できるようにしたことを特徴とするもの。
【発明の詳細な説明】
【０００１】
【発明の属する技術分野】
この発明は、システムキッチンや流し台などのカウンター下にビルトインする食器洗浄乾燥機に関するものであり、詳しくは扉の開閉動作を利用し、内部の下段に装備されている網籠を昇降させ得る食器洗浄乾燥機の構造に関するものである。
【０００２】
【従来の技術】
従来よりシステムキッチンや流し台のカウンター下には食器洗浄乾燥機をビルトインすることが一般化している。
ここで使用される食器洗浄乾燥機の標準的な概略構造は、キャビネットの前面下方に起倒自在として手前側に床と水平になるまで開放される扉を備え、キャビネット内部の洗浄乾燥室には、その下部に洗浄のためのノズルや乾燥のためのヒータなどを備え、かつ食器、調理具などを並べる網籠を上下二段に出し入れ自在に装備したものである。
作業者がこの食器洗浄乾燥機を使用する場合、まずカウンターのシンク内で軽く食器の下洗いを行う。次に食器洗浄乾燥機の扉を手前に倒すように開放し、通常は先に上段の網籠を手前に引き出す。上段の網籠は、レールによって支持される構造であるため、引き出した状態で主に小物の食器類を収納し、再び食器洗浄乾燥機キャビネット内に押し込む。
下段の網籠は下部に脚車を備えた構造であり、キャビネット内から扉裏面上に滑らせ引き出せるようになっている。そして、作業者は、その下段の網籠に重量の嵩む食器類や鍋釜等の調理用具をシンクより移し、再び食器洗浄乾燥機キャビネット内に押し入れる。
最後に、扉を持ち上げるように回転させて閉めた後、スイッチを投入して作動させる。具体的には、洗剤と共に温水を回転させながらジェット噴射をして洗浄し、濯ぎが終わるとヒータによって洗浄乾燥室内温度を上昇させ、湿気を排出しながら乾燥させるようにする。
【０００３】
別の手段として実開昭５９−１６００２号公報や特開昭６２−１６７１０号公報に開示されているように、カウンターのシンク脇に食器洗浄乾燥機の上部開口を配置し、この開口から食器等の出し入れを行うようにした形態のものも提案され商品化されている。
【０００４】
【発明が解決しようとする課題】
前述の正面からビルトインするようにした食器洗浄乾燥機においては、使用上および機器の構造において次の課題を有していた。
下段の網籠を引き出した状態において、網籠の位置がシンクから遠くなり、しかも高さが作業者の膝程度と極端に低くなるため、下洗いして濡れた食器等を移す動作で水滴がカウンターや床に飛散し、膝や腰を曲げひねる動作を繰り返すことになり食器を移し難いばかりか、疲労の原因となっていた。なお、乾燥後に食器を取り出す際にも同じ動作の逆となるので同様の問題があった。
前述したカウンターのシンク脇に食器洗浄乾燥機の上部に開口を設けるようにした構造では、自由に使えるカウンターの面積を狭くするため作業性を損なう。また、製造時においてカウンターへの加工が必要となり、その取り付けもキャビネット内の狭い場所となるため作業性が悪く問題となっていた。
そのために、この発明のように正面からビルトインする食器洗浄乾燥機において、下段の網籠を昇降させる機構が漠然と求められていたが、機構の単純さ、使い安さ、製作コスト等の面から実際に商品化しうる現実的な技術提案はなされていなかった。
【０００５】
【課題を解決するための手段】
この発明は、以上のようなシステムキッチン等のカウンター下にビルトインされる食器洗浄乾燥機の課題を解決し、且つ生産性、取り付け及びメインテナンスも容易な食器洗浄乾燥機を提供しようとするものである。
請求項１の発明では、洗浄乾燥室内に扉裏面に引き出し可能な網籠を装備し、扉裏面には、その前端部に軸止した架台とこの架台上のスライド台とからなる網籠載置台を設け、扉の側部にはロープの留め具と滑車とを、前記キャビネット側面の下部には二つ、上部には一つの滑車を取り付け、留め具よりキャビネット側面の下部の滑車、扉側面の滑車、キャビネット側面の下部の他方の滑車、キャビネット側面の上部の滑車に順次ロープを巡らせ、このロープの端部にはほぼＬ形をなしキャビネット側面に掛止できるようにした連結金具に繋ぎ、連結金具の重みでロープを常に緊張させるようになっており、扉を水平に開いた状態で、連結金具をキャビネットより外し網籠載置台の架台に繋げてロープの両端を固定し、扉を閉じて行くと巡らせたロープの移動により網籠載置台が扉裏面より回動して水平に上昇し、扉を閉めていくと網籠載置台が水平に下降するようにし、網籠載置台を上昇した状態で停止させるために、キャビネット側面の上部に揺動自在な引っ掛け金具を設けたことを特徴とする。
請求項２の発明は、請求項１記載の食器洗浄乾燥機の構造において、キャビネット側面下部に三つの滑車を設け、上部の滑車にロープを巡らせる前に通す一の滑車を移動自在としてロープの伸びに対応して調整できるようにしたことを特徴とする。
【０００６】
【発明の実施の形態】
以下図面に示すこの発明の実施形態に則して説明する。
食器洗浄乾燥機Ｗは、図６に示すように流し台Ｓのカウンター１の下部に納めるものである。
食器洗浄乾燥機Ｗのキャビネット２内は、下部の配管スペース、中央の洗浄乾燥室３及び上部の制御部に区画されている。配管スペースには、給排水管のための接続配管、ポンプ等が装備されている。
洗浄乾燥室３には、乾燥のためのヒーターと洗浄のための吐出ノズルが望むようになっており、内部に食器、調理具などを並べる脚車を備えた網籠４を出し入れ自在に装備し、キャビネット２の前面下方に起倒自在として手前側に床と水平になるまで開放される起伏自在な扉５を備え、前記網籠４は開いた扉５の裏面に引き出せるようになっている。
なお、別途上段に浅い網籠を洗浄乾燥室３内の上部両側に配置したスライドレールにより出し入れ自在とし二つの網籠を設けるようにしてもよい。
【０００７】
扉５裏面には、その前端部に軸止した架台６１とこの架台６１上のスライド台６２とからなる網籠載置台６を設けてある。スライド台６２は扉５の上部の先端より先まで至るようにしてある。また、扉５の上部側の側面にはロープの留め具７と滑車８、９とを設けてある。
キャビネット２の側面下部には二つの滑車１０、１１を、上部には一つの滑車１２を取り付けてある。
留め具７よりキャビネット側面の下部の滑車１０、扉５側面の滑車８、９、キャビネット２側面の下部のもう一方の滑車１１、キャビネット２側面の上部の滑車１２に順次ロープ１３を巡らせ、このロープ１３の端部はほぼＬ形をなす連結金具１４に繋ぎ、この連結金具の重みでロープ１３を常に緊張させるようにしてある。必要であれば別途錘を取り付けるようにする。
この連結金具１４には、キャビネット２の側面に設けた掛け軸１５に掛止する掛鉤１４ａを短辺１４１側に一体に形成してあり、扉５の開閉に伴うロープ１３の移動で掛鉤１４ａを支点として揺動するようになっている。また、この連結金具１４の短辺１４１は、掛け軸１５より外して回動させ扉５の裏面の網籠載置台６の架台６１の溝部６２ａに押し込んで繋げられるようになっている。
キャビネット２の側面上部には、連結金具１４への引っ掛け金具１６を揺動自在に設けて、連結金具１４と一体となって上昇した網籠載置台６を最上部で停止できるようにしてある。１７は引っ掛け金具１６のストッパーである。
【０００８】
このような構成からなる食器洗浄乾燥機Ｗの網籠４の動作について説明すると次の通りである。
まず、網籠４を従前通り上昇させない場合は、連結金具１４は掛鉤１４ａで掛け軸１５に掛けたままとし、扉５の開閉に伴うロープ１３の移動は、連結金具１４の揺動で吸収されるのみとなる。網籠載置台６は扉５裏面に添って同じ動作をすることになる。
次に網籠４を上昇させる場合は、扉５を開けて水平とし、網籠４を扉５の裏面の網籠載置台６のスライド台６２上に引き出して置く。連結金具１４を掛け軸１５より外し、その短辺１４１を扉５の裏面側に倒すように回動させ網籠載置台６の架台６１の溝部６２ａに嵌め込んで繋ぎロープ１３の両端が固定されるようにする。ここで、網籠４をスライド台６２上で、扉５の先端より離れるように移動させ、上昇してもキャビネット２に接触しないようにする。図示しないがスライド台６２にはストッパーを設けて網籠４が滑り落ちないようにしてある。
この状態で扉５を閉めて行くと、網籠載置台６は連結金具１４により繋がれ、かつ、架台６１の前端部が軸止されているので上向きに回動するが、ロープ１３の移動により網籠載置台６は水平に維持されたまま上昇することになる。
網籠４は設定高さに至ると引っ掛け金具１６を倒して、先端の鉤片を連結金具１４の短辺１４１に掛け止めて網籠載置台６を停止させる。
このように上昇させた状態で、網籠４に下洗いをした食器等をセットしたり、洗浄を終わった後の取り出しを行うことになる。
【０００９】
上昇した網籠４を下降させるには、引っ掛け金具１６を連結金具１４の短辺１４１より外し扉５を引き下ろすことになる。このとき、網籠載置台６は連結金具１４により繋がれているので水平を保ちながら下降することになる。巡らせたロープ１３により、食器等の重みを受けることになるので緩やかな動きとなる。
最下段まで網籠載置台６を降ろした状態で網籠４をキャビネット２内へ押し込み、連結金具１４を架台６１の溝部６２ａより外し、掛け軸１５に掛け止める。扉５を閉めるために起こすと、スライド台６２が扉５の裏面よりはみ出していても滑って扉５の裏面内に納まることになる。
【００１０】
図７は、キャビネット２側面下部の滑車１０、１１の内側にもうひとつの移動自在な滑車１１ａを付加したものである。この滑車１１ａは上部の滑車１２にロープ１３を巡らせる前に通すもので、ロープ１３の伸びによる緩みや、ロープ１３の滑車８〜１２からの脱落を防ぐためのものでのである。移動自在とするため滑車１１ａは一方側を固定し、他方側を弧状をなす長穴１１ｂにねじ止めするように構成し、滑車１１ａを所定角度回動させることでロープ１３の伸びに対応してロープ１３をめぐらせる距離を長くするよう調整してロープ１３の緊張状態を保つようにしてある。
【００１１】
以上述べた実施態様では、網籠４を扉５裏面上に引き出した状態で、水平に保ちキャビネット前面を昇降させる手段として、扉５の開閉とロープ１３の移動を利用するようにしてある。しかし、この発明はこの手段に限定されず、扉５裏面上をダンパー、リンク、ギア機構などを利用して水平に保った網籠４を昇降させるようにすることもできる。
また、ロープ１３の緩みを調整するために移動自在な滑車１１ａを付加して対応したものを示したが、ロープ１３を一端留め具７から外してロープ１３の伸長に併せて端部を切断してもよい。
【００１２】
【発明の効果】
この発明は以上のような構成からなるもので、請求項１の発明では、網籠を扉裏面上に引き出した状態で、水平に保ちキャビネット前面を昇降するようにしたので、極めて使い勝手が良好となり、扉裏面に引き出す網籠を扉の開閉に伴って昇降させることができ、食器等の洗浄物の出し入れに際して床面に水滴を飛散させることなく作業を楽にすることができるのである。
また、昇降させる機構をキャビネット及び扉の側面に一括して設けるようにしたので、内部に設けるようにした場合の特殊材料の選択、特殊処理加工が不要となり、修理、部品交換等のメインテナンスが容易となる。
さらに、網籠載置台を、扉裏面の前端部に軸止した架台とこの架台上のスライド台とから構成するようにしてあるので、スライド台上で網籠が扉裏面より外に出るので、網籠の昇降ストロークを大きくすることができる。昇降させる場合はロープの両端を固定し、滑車により巡らせたロープが移動するようにしたので動作がスムースで重量に耐えられることになるのである。
請求項２の発明では、調整滑車を介するようにしたので、ロープの伸びによる巡らせたロープの緩みを簡単に解消することができるのである。
【図面の簡単な説明】
【図１】この発明に係る食器洗浄乾燥機の網籠の昇降状態を示す側面図である。
【図２】同じくこの発明に係る食器洗浄乾燥機の網籠の昇降状態を示す正面図である。
【図３】食器洗浄乾燥機の網籠を昇降させない場合の側面図である。
【図４】食器洗浄乾燥機の網籠を昇降させない場合の正面図である。
【図５】網籠載置台の架台と連結金具の接続及び引っ掛け金具を示す要部平面図である。
【図６】食器洗浄乾燥機を組み込んだ流し台の正面図である。
【図７】キャビネット側面下部に調整滑車を付加した実施形態の要部側面図である。
【符号の説明】
Ｓ  流し台
１  カウンター
Ｗ  食器洗浄乾燥機
２  キャビネット
３  洗浄乾燥室
４  網籠
５  扉
６  網籠載置台
６１  架台
６２  スライド台
６２ａ  溝部
７  留め具
８、９、１０、１１、１１ａ、１２  滑車
１３  ロープ
１４  連結金具
１４ａ  掛鉤
１５  掛け軸
１６  引っ掛け金具
【図１】
0004073562.tif 000002
【図２】
0004073562.tif 000003
【図３】
0004073562.tif 000004
【図４】
0004073562.tif 000005
【図５】
0004073562.tif 000006
【図６】
0004073562.tif 000007
【図７】
0004073562.tif 000008